(57)【要約】【課題】リジェクト紙葉類が一時保留部に送られることを防止することができ、よって一時保留部からリジェクト部にリジェクト紙葉類を排出する場合と比較して筐体の外部へ紙葉類の投出処理を行うのにかかる時間を短縮することができる紙葉類処理装置を提供する。【解決手段】紙葉類処理装置（例えば、紙幣処理装置１０）は、搬送部２４から送られた紙葉類（例えば、紙幣）を一時的に保留するための一時保留部４０と、搬送部２４における識別部（例えば、紙幣画像取得部３２）の下流側かつ一時保留部４０の上流側に設けられ、筐体の外部に投出されるべきではないリジェクト紙葉類を搬送部２４から分岐させるためのリジェクト分岐部３６と、リジェクト分岐部３６により搬送部２４から分岐させられた紙葉類が集積されるリジェクト部６０とを備えている。【選択図】図１
2018036935.tif 000002
【特許請求の範囲】
【請求項１】
紙葉類を収納するとともに収納されている紙葉類を繰り出し可能となっている収納部と、
前記収納部から繰り出された紙葉類を搬送する搬送部と、
前記搬送部に設けられ、当該搬送部により搬送される紙葉類の識別を行う識別部と、
１または複数の紙葉類を挟持する一対の挟持部材を有しており、前記搬送部から送られた紙葉類を一時的に保留するための一時保留部であって、前記搬送部から紙葉類が受け渡される保留位置と、前記一時保留部に保留されている紙葉類を筐体の外部に取り出し可能となる投出位置との間で移動可能となっている一時保留部と、
前記搬送部における前記識別部の下流側かつ前記一時保留部の上流側に設けられ、前記筐体の外部に投出されるべきではないリジェクト紙葉類を前記搬送部から分岐させるためのリジェクト分岐部と、
前記リジェクト分岐部により前記搬送部から分岐させられた紙葉類が集積されるリジェクト部と、
を備えた、紙葉類処理装置。
【請求項２】
前記搬送部における前記識別部と前記リジェクト分岐部との間の距離は、前記搬送部からリジェクト紙葉類を分岐させるための前記リジェクト分岐部の動作が完了するまでの時間に、紙葉類の搬送速度を掛けた距離よりも長くなっている、請求項１記載の紙葉類処理装置。
【請求項３】
前記搬送部において、前記識別部の下流側かつ前記リジェクト分岐部の上流側の箇所に円弧状搬送路が設けられている、請求項１または２記載の紙葉類処理装置。
【請求項４】
前記搬送部における前記円弧状搬送路に、紙葉類を当該円弧状搬送路に沿ってガイドするガイド部が設けられており、
前記リジェクト部が前記筐体の外部に取り出されると、前記ガイド部を開いて前記円弧状搬送路にアクセスすることが可能となっている、請求項３記載の紙葉類処理装置。
【請求項５】
前記リジェクト部は、前記リジェクト分岐部により前記搬送部から分岐させられた紙葉類が集積される第１リジェクト部分と、前記一時保留部における一対の前記挟持部材に挟持されている１または複数の紙葉類が当該一時保留部から送られる第２リジェクト部分とを有している、請求項１乃至４のいずれか一項に記載の紙葉類処理装置。
【請求項６】
前記第１リジェクト部分および前記第２リジェクト部分は一体的に前記筐体の外部に取り出し可能となっている、請求項５記載の紙葉類処理装置。
【請求項７】
前記識別部は、前記搬送部により搬送される紙葉類を撮像する撮像部分を含み、
前記撮像部分により撮像された紙葉類の画像に基づいて当該紙葉類の記番号に係る情報を取得する記番号読取手段を更に備え、
前記識別部により識別された紙葉類について、前記記番号読取手段により取得された紙葉類の記番号に係る情報に基づいて、前記リジェクト分岐部により前記搬送部から分岐させられるべきリジェクト紙葉類であるか否かが判別されるようになっている、請求項１乃至６のいずれか一項に記載の紙葉類処理装置。
【発明の詳細な説明】
【技術分野】
【０００１】
本発明は、紙幣等の紙葉類の処理、とりわけ紙葉類を筐体の外部に投出する処理を行う紙葉類処理装置に関する。
【背景技術】
【０００２】
金融機関等に設置されるＡＴＭ（現金自動預け払い機）には、紙幣の入金処理や出金処理を行う紙幣処理装置が組み込まれるようになっている。このような紙幣処理装置として、従来から様々なタイプのものが知られている。例えば、特許文献１には、紙幣の出金処理を行うにあたり、収納部（スタッカ部）から搬送部に繰り出された紙幣を識別部により識別し、識別部により識別された紙幣を搬送部により保留部に送ってこの保留部で一時的に保留させ、出金されるべき紙幣が全て保留部に送られると入出金口が開いて保留部から紙幣の束を取り出し可能となるような紙幣処理装置が開示されている。また、従来では、紙幣処理装置として、出金されるべき紙幣を一時的に保留する保留部が、搬送部から紙幣が受け渡される保留位置と、保留されている紙幣を筐体の外部に取り出し可能となる投出位置との間で移動可能となっているようなものがある。
【先行技術文献】
【特許文献】
【０００３】
【特許文献１】特開２００５−２４２６９５号公報
【発明の概要】
【発明が解決しようとする課題】
【０００４】
出金されるべき紙幣を一時的に保留する保留部が保留位置と投出位置との間で移動可能となっているような紙幣処理装置において、紙幣の出金処理が行われる際に、保留部に紙幣が送られる前に識別部による識別結果に基づいて当該紙幣が出金すべきではないと判別された場合でも、このような紙幣は保留部に一旦送られ、その後、保留部に保留されている全ての紙幣がリジェクト部に送られるようになっていた。従来の紙幣処理装置では、識別部による識別結果に基づいて出金すべきではないと判別された紙幣を保留部に送る前に搬送部から分岐させるのが困難だったからである。しかしながら、このような紙幣処理装置では、保留部に保留されている、出金されるべき紙幣もリジェクト部に送られるようになるため、保留部からリジェクト部に紙幣を送った後に、出金されるべき紙幣を再び最初から保留部に保留させる必要があり、紙幣の出金処理を行うのに時間がかかるという問題があった。
【０００５】
本発明は、このような点を考慮してなされたものであり、搬送部から送られた紙葉類を一時的に保留するための一時保留部が、１または複数の紙葉類を挟持する一対の挟持部材を有しており、一対の挟持部材により１または複数の紙葉類を挟持しながら一時保留部が保留位置と投出位置との間で移動可能となっている場合において、リジェクト紙葉類が一時保留部に送られることを防止することができ、よって一時保留部からリジェクト部にリジェクト紙葉類を排出する場合と比較して筐体の外部へ紙葉類の投出処理を行うのにかかる時間を短縮することができる紙葉類処理装置を提供することを目的とする。
【課題を解決するための手段】
【０００６】
本発明の紙葉類処理装置は、紙葉類を収納するとともに収納されている紙葉類を繰り出し可能となっている収納部と、前記収納部から繰り出された紙葉類を搬送する搬送部と、前記搬送部に設けられ、当該搬送部により搬送される紙葉類の識別を行う識別部と、１または複数の紙葉類を挟持する一対の挟持部材を有しており、前記搬送部から送られた紙葉類を一時的に保留するための一時保留部であって、前記搬送部から紙葉類が受け渡される保留位置と、前記一時保留部に保留されている紙葉類を筐体の外部に取り出し可能となる投出位置との間で移動可能となっている一時保留部と、前記搬送部における前記識別部の下流側かつ前記一時保留部の上流側に設けられ、前記筐体の外部に投出されるべきではないリジェクト紙葉類を前記搬送部から分岐させるためのリジェクト分岐部と、前記リジェクト分岐部により前記搬送部から分岐させられた紙葉類が集積されるリジェクト部と、を備えたことを特徴とする。
【０００７】
このような紙葉類処理装置によれば、搬送部から送られた紙葉類を一時的に保留するための一時保留部が、１または複数の紙葉類を挟持する一対の挟持部材を有しており、一対の挟持部材により１または複数の紙葉類を挟持しながら一時保留部が保留位置と投出位置との間で移動可能となっている場合において、筐体の外部に投出されるべきではないリジェクト紙葉類を搬送部から分岐させるリジェクト分岐部が搬送部における識別部の下流側かつ一時保留部の上流側に設けられているため、リジェクト紙葉類が一時保留部に送られることを防止することができ、よって一時保留部からリジェクト部にリジェクト紙葉類を排出する場合と比較して筐体の外部へ紙葉類の投出処理を行うのにかかる時間を短縮することができる。
【０００８】
本発明の紙葉類処理装置においては、前記搬送部における前記識別部と前記リジェクト分岐部との間の距離は、前記搬送部からリジェクト紙葉類を分岐させるための前記リジェクト分岐部の動作が完了するまでの時間に、紙葉類の搬送速度を掛けた距離よりも長くなっていてもよい。
【０００９】
本発明の紙葉類処理装置においては、前記搬送部において、前記識別部の下流側かつ前記リジェクト分岐部の上流側の箇所に円弧状搬送路が設けられていてもよい。
【００１０】
この場合、前記搬送部における前記円弧状搬送路に、紙葉類を当該円弧状搬送路に沿ってガイドするガイド部が設けられており、前記リジェクト部が前記筐体の外部に取り出されると、前記ガイド部を開いて前記円弧状搬送路にアクセスすることが可能となっていてもよい。
【００１１】
本発明の紙葉類処理装置においては、前記リジェクト部は、前記リジェクト分岐部により前記搬送部から分岐させられた紙葉類が集積される第１リジェクト部分と、前記一時保留部における一対の前記挟持部材に挟持されている１または複数の紙葉類が当該一時保留部から送られる第２リジェクト部分とを有していてもよい。
【００１２】
この場合、前記第１リジェクト部分および前記第２リジェクト部分は一体的に前記筐体の外部に取り出し可能となっていてもよい。
【００１３】
本発明の紙葉類処理装置においては、前記識別部は、前記搬送部により搬送される紙葉類を撮像する撮像部分を含み、前記撮像部分により撮像された紙葉類の画像に基づいて当該紙葉類の記番号に係る情報を取得する記番号読取手段を更に備え、前記識別部により識別された紙葉類について、前記記番号読取手段により取得された紙葉類の記番号に係る情報に基づいて、前記リジェクト分岐部により前記搬送部から分岐させられるべきリジェクト紙葉類であるか否かが判別されるようになっていてもよい。
【発明の効果】
【００１４】
本発明の紙葉類処理装置によれば、搬送部から送られた紙葉類を一時的に保留するための一時保留部が、１または複数の紙葉類を挟持する一対の挟持部材を有しており、一対の挟持部材により１または複数の紙葉類を挟持しながら一時保留部が保留位置と投出位置との間で移動可能となっている場合において、リジェクト紙葉類が一時保留部に送られることを防止することができ、よって一時保留部からリジェクト部にリジェクト紙葉類を排出する場合と比較して筐体の外部へ紙葉類の投出処理を行うのにかかる時間を短縮することができる。
【図面の簡単な説明】
【００１５】
【図１】本発明の実施の形態による紙幣処理装置の内部構成を示す側面図である。
【図２】図１に示す紙幣処理装置における可動式の一時保留部の構成を概略的に示す斜視図である。
【図３】図２に示す一時保留部が保留位置の近傍に位置しているときの状態を示す側面図である。
【図４】変形例に係る紙幣処理装置の内部構成を示す側面図である。
【図５】図４に示す紙幣処理装置の外観を示す斜視図である。
【図６】（ａ）〜（ｃ）は、図４に示す紙幣処理装置における各収納カセットの側面の様々な位置に取り付けられるビスを示す説明図である。
【発明を実施するための形態】
【００１６】
以下、図面を参照して本発明の実施の形態について説明する。図１乃至図３は、本実施の形態による紙幣処理装置を示す図である。このうち、図１は、本実施の形態による紙幣処理装置の内部構成を示す側面図であり、図２は、図１に示す紙幣処理装置における可動式の一時保留部の構成を概略的に示す斜視図であり、図３は、図２に示す一時保留部が保留位置の近傍に位置しているときの状態を示す側面図である。また、図３において、可動式の一時保留部の各挟持部材により挟持されている紙幣を参照符合Ｐで示している。なお、本実施の形態による紙幣処理装置は、紙幣の出金処理を行う紙幣出金機として用いられるようになっている。
【００１７】
図１に示すように、本実施の形態による紙幣処理装置１０は、鉛直方向に沿って並ぶよう設けられた下部筐体１２および上部筐体１４を備えており、下部筐体１２の内部には複数（具体的には、例えば４つ）の紙幣収納カセット２０が収容されるようになっている。なお、図１における下部筐体１２や上部筐体１４の右側の面がこれらの下部筐体１２や上部筐体１４の前面側（すなわち、紙幣処理装置１０の操作を行う操作者に対向する面）となっており、図１における左方向が下部筐体１２や上部筐体１４の奥行き方向となっている。
【００１８】
下部筐体１２は一対の側板から構成されており、これらの一対の側板の間に複数（具体的には、例えば４つ）の紙幣収納カセット２０が鉛直方向に沿って並ぶよう収容されるようになっている。また、下部筐体１２の内部に収容されている各紙幣収納カセット２０は、他の紙幣収納カセット２０から独立して、下部筐体１２の前面から前方（すなわち、図１における矢印方向）に引き出し可能となっている。各紙幣収納カセット２０には紙幣が例えば金種毎に収納されるようになっている。また、各紙幣収納カセット２０には複数の紙幣が立位状態で収納されるようになっており、立位状態の各紙幣を図１における左方向に押圧する押圧部材（図示せず）が各紙幣収納カセット２０の内部に設けられている。
【００１９】
また、下部筐体１２の内部における奥側には、各紙幣収納カセット２０に収納されている複数の紙幣のうち図１における最も左側に位置する紙幣を当該紙幣収納カセット２０から繰り出す紙幣繰出機構２２が設けられている。ここで、下部筐体１２の内部に収容される各紙幣収納カセット２０に対応して複数（具体的には、例えば４つ）の紙幣繰出機構２２が設けられている。また、各紙幣繰出機構２２は、各紙幣収納カセット２０に収納されている複数の紙幣のうち図１における最も左側に位置する紙幣を１枚ずつ上方に蹴り出すキッカローラと、キッカローラにより蹴り出された紙幣を後述する搬送部２４に向かって１枚ずつ繰り出すフィードローラとを有している。また、フィードローラに対向してゲートローラ（逆転ローラ）が設けられており、フィードローラとゲートローラとの間にゲート部が形成されている。このようなゲート部により、フィードローラにより繰り出される紙幣が１枚ずつに分離されるようになっている。また、下部筐体１２の内部における奥側には、各紙幣繰出機構２２により各紙幣収納カセット２０から繰り出された紙幣を搬送する搬送部２４が設けられている。搬送部２４は下部筐体１２および上部筐体１４にまたがるよう設けられており、各紙幣繰出機構２２により各紙幣収納カセット２０から繰り出された紙幣は搬送部２４により下部筐体１２から上部筐体１４に送られ、当該上部筐体１４の内部で引き続き搬送されるようになっている。
【００２０】
上部筐体１４は略直方体形状のものとなっており、この上部筐体１４の前面上部には、出金されるべき紙幣が外部に投出される投出部５６が設けられている。また、図１に示すように、上部筐体１４の内部において搬送部２４には上流側から順に紙幣厚み検知部３０および紙幣画像取得部３２がそれぞれ設けられている。ここで、紙幣厚み検知部３０は、搬送部２４により搬送される紙幣の厚みの大きさを検知するようになっている。このような紙幣厚み検知部３０により、テープなどが貼られた異常な紙幣を検知したり、搬送部２４により搬送される紙幣が斜行している場合や、搬送部２４により２枚の紙幣が重なって搬送されている場合に、紙幣の搬送異常を検知したりすることができるようになっている。また、紙幣画像取得部３２は例えばラインセンサを有しており、搬送部２４により搬送される紙幣の画像を当該ラインセンサにより取得するようになっている。また、上部筐体１４の内部には記番号読取部６８が設けられており、紙幣画像取得部３２により取得された紙幣の画像は記番号読取部６８に送られるようになっている。そして、記番号読取部６８は、紙幣画像取得部３２により取得された紙幣の画像に基づいてＯＣＲ（光学文字認識）等により当該紙幣の記番号を読み取るようになっている。本実施の形態では、紙幣画像取得部３２は、搬送部２４により搬送される紙幣の識別を行う識別部として機能するようになっている。
【００２１】
また、上部筐体１４の内部には、可動式の一時保留部４０が設けられており、搬送部２４により搬送される紙幣は一時保留部４０に送られるようになっている。ここで、一時保留部４０は、搬送部２４から紙幣が受け渡される保留位置（具体的には、図１における実線で示す位置よりも少しだけ下方の位置で、一時保留部４０の後述する下側部材４４が図３の二点鎖線状態となる位置）と、一時保留部４０に保留されている紙幣を上部筐体１４の外部に取り出し可能となる投出位置（具体的には、投出部５６の位置）との間でレール５０に沿って移動可能となっている。また、紙幣の搬送方向における搬送部２４の下流側端部の近傍には羽根車３８が設けられている。羽根車３８は、紙幣の出金処理が行われる間、図１における反時計回りの方向に常に回転するようになっている。また、羽根車３８は、軸を中心として図１における反時計回りの方向に回転する円盤状のベース部材と、当該ベース部材の外周縁から外方に延びる複数の羽根とを有している。そして、搬送部２４の下流側端部から放出される紙幣は羽根車３８における隣り合う一対の羽根の間に受けられ、羽根車３８が図１における反時計回りの方向に回転することによりこの羽根の間で受けられた紙幣が保留位置に位置している一時保留部４０に送られるようになっている。なお、図１では羽根車３８が１つしか示されていないが、実際には図１の紙面に直交する方向に沿って複数（具体的には、４つ）の羽根車３８が並列に並ぶよう設けられている。また、各羽根車３８は互いに離間しており、隣り合う２つの羽根車３８の間の空間には後述する一時保留部４０の下側部材４４の各爪４４ａが入ることができるようになっている。ここで、一時保留部４０の構成の詳細および羽根車３８における隣り合う一対の羽根の間に受けられた紙幣が一時保留部４０に送られるときの態様の詳細については後述する。
【００２２】
また、上部筐体１４の内部には、各紙幣収納カセット２０から繰り出された紙幣のうち出金されるべきではないリジェクト紙幣（すなわち、搬送異常である紙幣や記番号を読み取ることができない紙幣）が集積されるリジェクト部６０が設けられている。ここで、リジェクト部６０は第１リジェクト部分６０ａおよび第２リジェクト部分６０ｂから構成されており、第１リジェクト部分６０ａには搬送部２４から分岐させられた紙幣が集積される一方、第２リジェクト部分６０ｂには一時保留部４０から送られた束状態の紙幣が集積されるようになっている。より詳細に説明すると、搬送部２４における紙幣画像取得部３２の下流側かつ保留位置に位置している一時保留部４０の上流側の箇所に、出金されるべきではないリジェクト紙幣を搬送部２４から分岐させるためのリジェクト分岐部３６が設けられており、リジェクト分岐部３６により搬送部２４から分岐させられた紙幣がリジェクト部６０の第１リジェクト部分６０ａに送られ、この第１リジェクト部分６０ａに集積されるようになっている。また、本実施の形態では、リジェクト部６０を上部筐体１４の前面から前方に引き出すことができるようになっている。なお、リジェクト部６０が上部筐体１４の前面から前方に引き出される際に、第１リジェクト部分６０ａおよび第２リジェクト部分６０ｂは一体的に移動するようになる。
【００２３】
また、一時保留部４０の案内を行うレール５０において、上述した保留位置と投出位置とを結ぶ本線５０ａからは支線５０ｂ、５０ｃがそれぞれ分岐しており、本線５０ａに沿って移動する一時保留部４０が支線５０ｃに分岐させられ、この支線５０ｃの先端部分（すなわち、図１における支線５０ｃの右下部分）に一時保留部４０が送られると、一時保留部４０に保留されている束状態の紙幣が第２リジェクト部分６０ｂに送られるようになっている。なお、本線５０ａに沿って移動する一時保留部４０が支線５０ｂに分岐させられ、この支線５０ｂの先端部分（すなわち、図１における支線５０ｂの左端部分）に一時保留部４０が送られると、一時保留部４０に保留されている束状態の紙幣を紙幣処理装置１０の背面側から取り出すことができるようになる。あるいは、一時保留部４０に保留されている束状態の紙幣が紙幣処理装置１０の背面側に位置する他の装置（図示せず）に送られるようになる。
【００２４】
図１に示すように、レール５０において本線５０ａから支線５０ｂへの分岐箇所には分岐部材５２が設けられており、当該分岐部材５２は図１における左右方向に移動可能となっている。ここで、分岐部材５２には、出金用レール部分５２ａおよび後方搬送用レール部分５２ｂがそれぞれ設けられている。そして、分岐部材５２が図１に示す箇所に位置している場合には、レール５０の本線５０ａに沿って保留位置から投出位置に移動する一時保留部４０は出金用レール部分５２ａを通るようになり、このため本線５０ａから支線５０ｂに分岐させられることはない。一方、分岐部材５２が図１に示す箇所から右方向に移動すると、レール５０の本線５０ａに沿って保留位置から投出位置に移動する一時保留部４０は後方搬送用レール部分５２ｂによりこの本線５０ａから支線５０ｂに分岐させられるようになる。また、レール５０において本線５０ａから支線５０ｃへの分岐箇所には分岐部材５４が設けられており、当該分岐部材５４は図１における上下方向に移動可能となっている。ここで、分岐部材５４には、出金用レール部分５４ａおよびリジェクト用レール部分５４ｂがそれぞれ設けられている。そして、分岐部材５４が図１に示す箇所に位置している場合には、レール５０の本線５０ａに沿って保留位置から投出位置に移動する一時保留部４０はリジェクト用レール部分５４ｂによりこの本線５０ａから支線５０ｃに分岐させられるようになる。一方、分岐部材５４が図１に示す箇所から下方向に移動すると、レール５０の本線５０ａに沿って保留位置から投出位置に移動する一時保留部４０は出金用レール部分５４ａを通るようになり、このため本線５０ａから支線５０ｃに分岐させられることはない。
【００２５】
また、本実施の形態の紙幣処理装置１０では、搬送部２４における紙幣画像取得部３２とリジェクト分岐部３６との間の距離は、搬送部２４からリジェクト紙幣を分岐させるためのリジェクト分岐部３６の動作が完了するまでの時間に、搬送部２４における紙幣の搬送速度を掛けた距離よりも長くなっている。具体的には、搬送部２４により搬送される紙幣の画像が紙幣画像取得部３２により取得され、この紙幣画像取得部３２により取得された紙幣の画像に基づいて記番号読取部６８により当該紙幣の記番号が読み取られ、記番号の読み取りを行うことができなかった紙幣については搬送部２４からリジェクト部６０に分岐させるためにリジェクト分岐部３６が図１における実線位置から二点鎖線位置に回動させられるようになる。ここで、搬送部２４により搬送される紙幣の画像が紙幣画像取得部３２により取得されてからリジェクト分岐部３６の動作が完了するまでの時間に、搬送部２４における紙幣の搬送速度を掛けた距離よりも、搬送部２４における紙幣画像取得部３２とリジェクト分岐部３６との間の距離を長くすることにより、記番号の読み取りを行うことができなかった紙幣をリジェクト分岐部３６により搬送部２４からリジェクト部６０に確実に分岐させることができるようになる。一方、搬送部２４により搬送される紙幣の画像が紙幣画像取得部３２により取得されてからリジェクト分岐部３６の動作が完了するまでの時間に、搬送部２４における紙幣の搬送速度を掛けた距離よりも、搬送部２４における紙幣画像取得部３２とリジェクト分岐部３６との間の距離が短い場合には、リジェクト分岐部３６の動作（すなわち、リジェクト分岐部３６を図１における実線位置から二点鎖線位置に回動させる動作）が間に合わなくなり、記番号の読み取りを行うことができなかった紙幣をリジェクト分岐部３６により搬送部２４から分岐させることができなくなるおそれがある。このように、記番号の読み取りを行うことができなかった紙幣をリジェクト分岐部３６により搬送部２４からリジェクト部６０に確実に分岐させるためには、搬送部２４における紙幣画像取得部３２とリジェクト分岐部３６との間の距離をある程度長くする必要がある。
【００２６】
搬送部２４における紙幣画像取得部３２とリジェクト分岐部３６との間の距離を長くするために、搬送部２４における紙幣画像取得部３２の下流側かつリジェクト分岐部３６の上流側の箇所に回転ドラム３４が設けられており、搬送部２４により搬送される紙幣は、この回転ドラム３４の外周面に沿って搬送されるようになっている。このような回転ドラム３４を設けることにより、搬送部２４における紙幣画像取得部３２とリジェクト分岐部３６との間の距離を長くすることができるようになる。また、図１に示すように、回転ドラム３４の外周面の外側には、紙幣のガイドを行うガイド部材３５が設けられている。このようなガイド部材３５が設けられていることにより、搬送部２４により搬送される紙幣を回転ドラム３４の外周面に沿って案内することができるようになる。また、本実施の形態では、リジェクト部６０を上部筐体１４の前面から前方に引き出した後、ガイド部材３５を開くことができるようになっている。ガイド部材３５が開かれると、回転ドラム３４の外周面とガイド部材３５との間に位置する円弧状の紙幣の搬送面にアクセスすることができるようになる。
【００２７】
次に、可動式の一時保留部４０の構成の詳細について図２および図３を用いて説明する。図２および図３に示すように、一時保留部４０は１または複数の紙幣を挟持する一対の挟持部材（具体的には、上側部材４３および下側部材４４）を有しており、これらの一対の挟持部材により１または複数の紙幣が挟持された状態で一時保留部４０が保留位置から投出位置に移動するようになっている。より詳細には、図２に示すように、上側部材４３は４本の平行に延びる爪４３ａを有する櫛歯形状となっており、また、下側部材４４は５本の平行に延びる爪４４ａを有する櫛歯形状となっている。また、上側部材４３の基端部分には駆動軸４３ｂが設けられており、当該上側部材４３は駆動軸４３ｂを中心として揺動するようになっている。また、下側部材４４の基端部分には固定軸４４ｂが設けられており、当該下側部材４４は固定軸４４ｂを中心として揺動するようになっている。なお、下側部材４４には固定軸４４ｂが貫通する貫通穴が設けられており、下側部材４４は固定軸４４ｂに対して揺動するようになっている。ここで、上側部材４３が駆動軸４３ｂを中心として図２における時計回りの方向（すなわち、図２において参照符合ａで示す方向）に回動するとともに下側部材４４が固定軸４４ｂを中心として図２における反時計回りの方向（すなわち、図２において参照符合ｂで示す方向）に回動すると、上側部材４３の各爪４３ａが下側部材４４の各爪４４ａ間の空間に入ることにより、上側部材４３および下側部材４４は互いに噛み合うようになっている。
【００２８】
また、図２に示すように、一時保留部４０は左右一対の側面枠体４１と、これらの側面枠体４１を連結する天板４２とを有しており、これらの各側面枠体４１および天板４２により枠組みが構成されている。図２に示すように、上述した上側部材４３および下側部材４４は、一対の側面枠体４１および天板４２により構成される枠組みの中に収容されるようになっている。具体的には、上側部材４３および下側部材４４は、一対の側面枠体４１の間に形成される空間に収容されるようになっている。ここで、上側部材４３の基端部分に設けられている駆動軸４３ｂは各側面枠体４１を貫通してこれらの側面枠体４１の外側に延びるようになっている。また、下側部材４４の基端部分に設けられている固定軸４４ｂの両端部はそれぞれ各側面枠体４１に取り付けられており、この固定軸４４ｂは各側面枠体４１に対して回転しないようになっている。
【００２９】
図２に示すように、上側部材４３の基端部分に設けられている駆動軸４３ｂの両端部には歯車４６がそれぞれ設けられている。また、一時保留部４０の案内を行うレール５０は、各歯車４６に対応するよう左右一対のものとなっている。ここで、各レール５０には、各歯車４６の歯が噛み合うようなラック部分（すなわち、各レール５０の長手方向に沿って並ぶよう複数の歯が棒状部材に設けられた部分）が形成されている。また、左右一対の歯車４６のうち一方の歯車４６（すなわち、図２における奥側の歯車４６）には当該歯車４６を回転させる歯車駆動モータ４７が設けられている。そして、歯車駆動モータ４７により図２における奥側の歯車４６が回転させられることにより左右一対の歯車４６がそれぞれ対応するレール５０に沿って転動し、このことにより一時保留部４０がレール５０に沿って移動するようになる。
【００３０】
また、図２に示すように、上側部材４３にはスプリング４５の一端が取り付けられている。また、スプリング４５の他端は、一対の側面枠体４１および天板４２により構成される枠組みの内面に取り付けられており、このようなスプリング４５により上側部材４３の各爪４３ａが下側部材４４に向かって（すなわち、図２において参照符合ａで示す方向に）付勢されるようになっている。また、上側部材４３の各爪４３ａの回動範囲は図示しないストッパにより規制されるようになっている。また、上述したように、下側部材４４には固定軸４４ｂが貫通する貫通穴が設けられており、下側部材４４は固定軸４４ｂに対して回動するようになっているが、下側部材４４と固定軸４４ｂとの間には図示しないネジリバネが設けられており、このネジリバネにより下側部材４４の各爪４４ａが上側部材４３に向かって（すなわち、図２において参照符合ｂで示す方向に）付勢されるようになっている。また、図３に示すように、下側部材４４の基端部分にはアーム４８が取り付けられており、このアーム４８は下側部材４４と一体的に固定軸４４ｂに対して回動するようになっている。また、このアーム４８の先端部分にはローラ４８ａが回転自在に設けられている。
【００３１】
次に、このような構成の一時保留部４０が保留位置の近傍に位置しているときの状態について図３を用いて説明する。図３において実線で示すように、保留位置から一時保留部４０が離れている場合（すなわち、図１において実線で示す位置にある場合）には、スプリング４５により上側部材４３の各爪４３ａが下側部材４４に向かって（すなわち、図３において参照符合ａで示す方向に）付勢されるとともに、図示しないネジリバネにより下側部材４４の各爪４４ａが上側部材４３に向かって（すなわち、図３において参照符合ｂで示す方向に）付勢されることにより、１または複数の紙幣Ｐが上側部材４３と下側部材４４との間で挟持されるようになる。また、１または複数の紙幣Ｐが上側部材４３と下側部材４４との間で挟持された状態で一時保留部４０がレール５０に沿って移動するようになる。一方、一時保留部４０が保留位置に移動すると、アーム４８の先端部分に回転自在に設けられているローラ４８ａが、装置本体側に設けられているカム面４９に接触し（カム面４９に接触したローラ４８ａを図３において二点鎖線で表示）、このローラ４８ａがカム面４９によって押されることによりアーム４８および下側部材４４が図３において二点鎖線で示すように固定軸４４ｂを中心として図３における時計回りの方向に回動し、下側部材４４の各爪４４ａが上側部材４３から遠ざかるようになる。すなわち、下側部材４４の各爪４４ａが図３において参照符合ｃで示す方向に回動するようになる。また、下側部材４４が固定軸４４ｂを中心として図３における時計回りの方向に回動すると、この下側部材４４の各爪４４ａは、各羽根車３８の間の空間に入るようになる。このようにして、一時保留部４０が保留位置に位置しているときには上側部材４３に対して下側部材４４が開くようになる。すなわち、下側部材４４の各爪４４ａと上側部材４３の各爪４３ａとが互いに離間し、羽根車３８から送られた紙幣を下側部材４４の各爪４４ａと上側部材４３の各爪４３ａとの間に受け入れ可能となる。
【００３２】
また、一時保留部４０が保留位置に位置しているときに羽根車３８から送られた紙幣が下側部材４４の各爪４４ａと上側部材４３の各爪４３ａとの間に受け入れられた後、この一時保留部４０がレール５０に沿って保留位置から投出位置に向かって移動し始めると、アーム４８の先端部分に回転自在に設けられているローラ４８ａがカム面４９から離間し、アーム４８には何ら力が加えられないようになる。このことにより、下側部材４４および固定軸４４ｂの間に設けられたネジリバネによってアーム４８および下側部材４４が固定軸４４ｂを中心として図３における反時計回りの方向（すなわち、図３において参照符合ｂで示す方向）に回動し、下側部材４４の各爪４４ａが上側部材４３に向かって付勢される。このことにより、図３において実線で示すように、１または複数の紙幣Ｐが上側部材４３と下側部材４４との間で挟持されるようになる。また、１または複数の紙幣Ｐが上側部材４３と下側部材４４との間で挟持された状態で一時保留部４０がレール５０に沿って保留位置から投出位置に移動するようになる。
【００３３】
次に、このような構成からなる紙幣処理装置１０の動作（具体的には、紙幣処理装置１０による紙幣の出金処理）について説明する。
【００３４】
紙幣処理装置１０が待機状態にあるときには、一時保留部４０は図１において実線で示す位置よりも少しだけ下方の保留位置に位置するようになっている。また、紙幣処理装置１０が待機状態にあるときに、当該紙幣処理装置１０の制御部（図示せず）に紙幣の出金処理の指令が与えられると、分岐部材５４は図１の状態から下方に移動して、分岐部材５４の前後のレール５０の本線５０ａが、分岐部材５４の出金用レール部分５４ａを介して接続されるようになる。また、出金されるべき紙幣の金種に対応する紙幣収納カセット２０から紙幣繰出機構２２により紙幣が１枚ずつ搬送部２４に繰り出され、紙幣収納カセット２０から繰り出された紙幣は搬送部２４により下部筐体１２から上部筐体１４に送られる。また、上部筐体１４の内部で搬送部２４により搬送される紙幣は、紙幣厚み検知部３０および紙幣画像取得部３２を順に通過する。このことにより、搬送部２４により搬送される紙幣の厚みの大きさが紙幣厚み検知部３０により検知され、また、搬送部２４により搬送される紙幣の画像が紙幣画像取得部３２により取得される。上述したように、紙幣厚み検知部３０により、テープが貼られた異常な厚みの紙幣を検知したり、搬送部２４により搬送される紙幣が斜行している場合や、搬送部２４により２枚の紙幣が重なって搬送されている場合に、紙幣の搬送異常を検知したりすることができるようになっている。また、紙幣画像取得部３２により取得された紙幣の画像は記番号読取部６８に送られ、この紙幣の画像に基づいて記番号読取部６８により当該紙幣の記番号が読み取られる。
【００３５】
紙幣厚み検知部３０により異常な厚みの紙幣や紙幣の搬送異常が検知されたり、記番号読取部６８により紙幣の記番号を読み取ることができなかったりした場合には、このような紙幣はリジェクト紙幣としてリジェクト分岐部３６により搬送部２４から分岐させられ、この分岐させられた紙幣はリジェクト部６０の第１リジェクト部分６０ａに送られるようになる。ここで、本実施の形態では、上述したように、搬送部２４により搬送される紙幣の画像が紙幣画像取得部３２により取得されてからリジェクト分岐部３６の動作が完了するまでの時間に、搬送部２４における紙幣の搬送速度を掛けた距離よりも、搬送部２４における紙幣画像取得部３２とリジェクト分岐部３６との間の距離が長くなっているため、記番号の読み取りを行うことができなかった紙幣をリジェクト分岐部３６により搬送部２４からリジェクト部６０に確実に分岐させることができるようになる。一方、紙幣厚み検知部３０により搬送異常が検知されないとともに、記番号読取部６８により記番号が読み取られた紙幣は、リジェクト分岐部３６により分岐させられることなく搬送部２４の下流側端部から羽根車３８により一時保留部４０に送られるようになる。上述したように、一時保留部４０が保留位置に位置しているときには、上側部材４３に対して下側部材４４が開くようになり、このことにより羽根車３８から送られた紙幣が下側部材４４の各爪４４ａと上側部材４３の各爪４３ａとの間に受け入れられるようになる。
【００３６】
そして、出金されるべき紙幣が全て一時保留部４０に保留されると、一時保留部４０がレール５０に沿って保留位置から投出位置に向かって移動し始める。この際に、アーム４８の先端部分に回転自在に設けられているローラ４８ａがカム面４９から離間し、アーム４８には何ら力が加えられないようになる。このことにより、下側部材４４および固定軸４４ｂの間に設けられたネジリバネによってアーム４８および下側部材４４が固定軸４４ｂを中心として図３における反時計回りの方向（すなわち、図３において参照符合ｂで示す方向）に回動し、下側部材４４の各爪４４ａが上側部材４３に向かって付勢される。このことにより、図３において実線で示すように、出金されるべき１または複数の紙幣Ｐが上側部材４３と下側部材４４との間で挟持されるようになる。また、１または複数の紙幣Ｐが上側部材４３と下側部材４４との間で挟持された状態で一時保留部４０がレール５０に沿って保留位置から投出位置に移動する。このようにして一時保留部４０が投出部５６まで移動すると、操作者は上部筐体１４の前面側から、一時保留部４０における上側部材４３と下側部材４４との間に挟持されている１または複数の紙幣を取り出すことができるようになる。出金されるべき紙幣が一時保留部４０から取り出されると、当該一時保留部４０は投出位置から保留位置に戻るようになる。このようにして、本実施の形態の紙幣処理装置１０による紙幣の出金処理が完了する。
【００３７】
また、一時保留部４０が投出位置に移動してから所定の時間が経過しても当該一時保留部４０から紙幣が取り出されなかった場合には、一時保留部４０に保留されている紙幣は取り忘れ紙幣としてリジェクト部６０の第２リジェクト部分６０ｂに送られるようになる。より詳細には、紙幣が保留されている状態で一時保留部４０が投出位置から保留位置に向かってレール５０の途中箇所（具体的には、分岐部材５４よりも保留位置に近い位置）まで移動する。そして、分岐部材５４が上方向に移動し、レール５０の本線５０ａが分岐部材５４のリジェクト用レール部分５４ｂを介して支線５０ｃに接続される（図１の状態）。その後、一時保留部４０は再び投出位置方向に移動する。このことにより、レール５０の本線５０ａに沿って移動する一時保留部４０は分岐部材５４のリジェクト用レール部分５４ｂによりこの本線５０ａから支線５０ｃに分岐させられ、当該支線５０ｃの先端部分（すなわち、図１における支線５０ｃの右下部分）に一時保留部４０が送られると、一時保留部４０に保留されている１または複数の紙幣が第２リジェクト部分６０ｂにまとめて送られるようになる。
【００３８】
また、本実施の形態による紙幣処理装置１０では、上部筐体１４の内部において搬送部２４により搬送される紙幣が当該搬送部２４で詰まる等のトラブルが発生した場合には、紙幣処理装置１０の各構成部材の動作が一旦停止され、操作者は手動で復旧作業を行うようになる。この際に、搬送部２４における回転ドラム３４の外周面で紙幣が詰まった場合には、リジェクト部６０を上部筐体１４の前面から前方に引き出した後、ガイド部材３５を開くことにより、回転ドラム３４の外周面とガイド部材３５との間に位置する円弧状の紙幣の搬送面にアクセスすることができるようになり、よってこの円弧状の搬送路で詰まっている紙幣を上部筐体１４の外部に取り出すことができるようになる。
【００３９】
以上のような構成からなる本実施の形態の紙幣処理装置１０によれば、搬送部２４から送られた紙幣を一時的に保留するための一時保留部４０が、１または複数の紙幣を挟持する一対の挟持部材としての上側部材４３および下側部材４４を有しており、一対の挟持部材により１または複数の紙幣を挟持しながら一時保留部４０が保留位置と投出位置との間で移動可能となっている場合において、上部筐体１４の外部に投出されるべきではないリジェクト紙幣を搬送部２４から分岐させるリジェクト分岐部３６が搬送部２４における識別部（具体的には、紙幣画像取得部３２）の下流側かつ一時保留部４０の上流側に設けられているため、リジェクト紙幣が一時保留部４０に送られることを防止することができ、よって一時保留部４０からリジェクト部６０に出金されるべき紙幣も含めてリジェクト紙幣を排出する場合と比較して上部筐体１４の外部へ紙幣の投出処理を行うのにかかる時間を短縮することができる。
【００４０】
より詳細に説明すると、従来の紙幣処理装置では、紙幣の出金処理が行われる際に、一時保留部に紙幣が送られる前に識別部による識別結果に基づいて当該紙幣が出金すべきではないと判別された場合でも、このような紙幣は一時保留部に一旦送られ、その後、一時保留部に保留されている全ての紙幣がリジェクト部に送られるようになっていた。このような従来の紙幣処理装置では、搬送部における識別部と一時保留部との間の距離が短く、識別部による識別結果に基づいて出金すべきではないと判別された紙幣を一時保留部に送る前に搬送部から分岐させるのが困難だったからである。より詳細に説明すると、保留位置と投出位置との間で移動するような一時保留部を設けた場合には、筐体の内部においてこのような一時保留部の移動領域を確保する必要があるため筐体の内部の余裕スペースが狭くなってしまう。この場合には、一時保留部に紙幣が送られるまでの搬送部の設置スペースにも制約が生じてしまい、当該搬送部を長くするのは容易ではなかった。このため、搬送部に設けられた識別部による識別結果に基づいて出金すべきではないと判別された紙幣も一時保留部に一旦送るようにしていた。しかしながら、このような従来の紙幣処理装置では、一時保留部に保留されている、出金されるべき紙幣もリジェクト部に送られるようになるため、一時保留部からリジェクト部に紙幣を送った後に、出金されるべき紙幣を再び最初から一時保留部に保留させる必要があり、紙幣の出金処理を行うのに時間がかかるという問題があった。とりわけ、一時保留部に複数の紙幣が保留される場合には、無駄となる紙幣が多くなってしまうという問題があった。これに対し、本実施の形態による紙幣処理装置１０では、識別部による紙幣の識別結果に基づいて（具体的には、紙幣画像取得部３２により取得された紙幣の画像に基づいて記番号読取部６８により紙幣の記番号が読み取られたか否かに基づいて）、上部筐体１４の外部に投出されるべきではないと判断されたリジェクト紙幣を１枚だけ搬送部２４からリジェクト分岐部３６により分岐させてリジェクト部６０の第１リジェクト部分６０ａに送ることにより、上述した従来の紙幣処理装置と比較して上部筐体１４の外部へ紙幣の投出処理を行うのにかかる時間を短縮することができる。
【００４１】
また、本実施の形態の紙幣処理装置１０においては、上述したように、搬送部２４における識別部（具体的には、紙幣画像取得部３２）とリジェクト分岐部３６との間の距離は、搬送部２４からリジェクト紙幣を分岐させるためのリジェクト分岐部３６の動作が完了するまでの時間に、紙幣の搬送速度を掛けた距離よりも長くなっている。このことにより、識別部による識別結果に基づいて上部筐体１４の外部に投出されるべきではないリジェクト紙幣をリジェクト分岐部３６により搬送部２４からリジェクト部６０に確実に分岐させることができるようになる。
【００４２】
また、本実施の形態の紙幣処理装置１０においては、上述したように、搬送部２４において、識別部（具体的には、紙幣画像取得部３２）の下流側かつリジェクト分岐部３６の上流側の箇所に円弧状搬送路（具体的には、回転ドラム３４の外周面に形成される円弧状の紙幣の搬送路）が設けられている。この場合には、搬送部２４における識別部（具体的には、紙幣画像取得部３２）とリジェクト分岐部３６との間の距離を長くすることができるようになる。また、搬送部２４における円弧状搬送路に、紙幣を当該円弧状搬送路に沿ってガイドするガイド部材３５が設けられており、リジェクト部６０が上部筐体１４の外部に取り出されると、ガイド部材３５を開いて円弧状搬送路にアクセスすることが可能となっている。この場合には、搬送部２４における回転ドラム３４の外周面で紙幣が詰まったときに、リジェクト部６０を上部筐体１４の前面から前方に引き出した後、ガイド部材３５を開くことにより、回転ドラム３４の外周面とガイド部材３５との間に位置する円弧状の紙幣の搬送面にアクセスし、この円弧状の搬送路で詰まっている紙幣を上部筐体１４の外部に取り出すことができるようになる。
【００４３】
また、本実施の形態の紙幣処理装置１０においては、上述したように、リジェクト部６０は、リジェクト分岐部３６により搬送部２４から分岐させられた紙幣が集積される第１リジェクト部分６０ａと、一時保留部４０における一対の挟持部材（具体的には、上側部材４３および下側部材４４）に挟持されている１または複数の紙幣が当該一時保留部４０から送られる第２リジェクト部分６０ｂとを有している。この場合には、一時保留部４０における一対の挟持部材に挟持されている、取り忘れ紙幣としての１または複数の紙幣を第２リジェクト部分６０ｂに送ることにより上部筐体１４の外部に投出されることを防止することができるようになる。また、第１リジェクト部分６０ａおよび第２リジェクト部分６０ｂは一体的に上部筐体１４の外部に取り出し可能となっている。この場合には、第１リジェクト部分６０ａおよび第２リジェクト部分６０ｂが別々に設けられている場合と比較して、第１リジェクト部分６０ａおよび第２リジェクト部分６０ｂを操作者が上部筐体１４の外部に取り出す際の作業負荷を小さくすることができるようになる。
【００４４】
また、本実施の形態の紙幣処理装置１０においては、上述したように、搬送部２４により搬送される紙幣の識別を行う識別部は、搬送部２４により搬送される紙幣を撮像する撮像部分としての紙幣画像取得部３２を有しており、また、撮像部分としての紙幣画像取得部３２により撮像された紙幣の画像に基づいて当該紙幣の記番号に係る情報を取得する記番号読取手段として記番号読取部６８が設けられている。そして、識別部により識別された紙幣について、記番号読取部６８により取得された紙幣の記番号に係る情報に基づいて、リジェクト分岐部３６により搬送部２４から分岐させられるべきリジェクト紙幣であるか否かが判別されるようになっている。具体的には、紙幣画像取得部３２により撮像された紙幣の画像に基づいて当該紙幣の記番号を記番号読取部６８により読み取ることができなかった場合には、当該紙幣はリジェクト分岐部３６により搬送部２４から分岐させられるべきリジェクト紙幣であると判別されるようになる。このことにより、記番号を読み取ることができない紙幣が上部筐体１４の外部に投出されることを防止することができるようになる。
【００４５】
なお、本実施の形態による紙幣処理装置１０や紙幣処理方法は、上述したような態様に限定されることはなく、様々な変更を加えることができる。
【００４６】
例えば、搬送部２４により搬送される紙幣の識別を行う識別部は、搬送部２４により搬送される紙幣を撮像する紙幣画像取得部３２に限定されることはない。識別部による識別結果に基づいて上部筐体１４の外部に投出されるべきではないリジェクト紙幣であるか否かを判別することができるものであれば、識別部として紙幣画像取得部３２以外のものが用いられてもよい。
【００４７】
また、搬送部２４から送られた紙幣を一時的に保留するための一時保留部は、図２および図３に示すような構成のものに限定されることはない。本実施の形態による紙幣処理装置１０において用いられる一時保留部として、１または複数の紙幣を挟持する一対の挟持部材を有するとともに保留位置と投出位置との間で移動可能となっているものであれば、図２および図３に示すような構成以外のものが用いられてもよい。
【００４８】
また、変形例に係る紙幣処理装置として、図４および図５に示すような構成のものが用いられるようになっていてもよい。ここで、図４は、変形例に係る紙幣処理装置の内部構成を示す側面図であり、図５は、図４に示す紙幣処理装置の外観を示す斜視図である。また、図４および図５に示す紙幣処理装置も、紙幣の出金処理を行う紙幣出金機として用いられるようになっている。
【００４９】
図４および図５に示すように、変形例に係る紙幣処理装置７０は、鉛直方向に沿って並ぶよう設けられた下部筐体７２および上部筐体７４を備えており、下部筐体７２の内部には複数（具体的には、例えば４つ）の紙幣収納カセット８０、８１が収容されるようになっている。なお、図４における下部筐体７２や上部筐体７４の右側の面がこれらの下部筐体７２や上部筐体７４の前面側（すなわち、紙幣処理装置７０の操作を行う操作者に対向する面）となっており、図４における左方向が下部筐体７２や上部筐体７４の奥行き方向となっている。
【００５０】
図５に示すように、下部筐体７２は一対の側板から構成されており、これらの一対の側板の間に複数（具体的には、例えば４つ）の紙幣収納カセット８０、８１が鉛直方向に沿って並ぶよう収容されるようになっている。また、下部筐体７２の内部に収容されている各紙幣収納カセット８０、８１は、他の紙幣収納カセット８０、８１から独立して、下部筐体７２の前面から前方（すなわち、図４における矢印方向）に引き出し可能となっている。各紙幣収納カセット８０、８１には紙幣が例えば金種毎に収納されるようになっている。また、各紙幣収納カセット８０、８１には複数の紙幣が立位状態で収納されるようになっており、立位状態の各紙幣を図４における左方向に押圧する押圧部材（図示せず）が各紙幣収納カセット８０、８１の内部に設けられている。ここで、下部筐体７２の内部に収容される４つの紙幣収納カセット８０、８１のうち図４における最も上側に位置する紙幣収納カセット８０は、出金されるべき紙幣を収納する紙幣収納部８０ａおよび上部筐体７４から送られたリジェクト紙幣が集積されるリジェクト部８０ｂを有しており、紙幣収納部８０ａはリジェクト部８０ｂよりも紙幣収納カセット８０における奥側に位置するようになっている。一方、下部筐体７２の内部に収容される４つの紙幣収納カセット８０、８１のうち図４における下側の３つの紙幣収納カセット８１は、出金されるべき紙幣を収納する紙幣収納部のみを有しており、上部筐体７４から送られたリジェクト紙幣が集積されるリジェクト部は当該紙幣収納カセット８１に設けられていない。
【００５１】
また、下部筐体７２の内部における奥側には、各紙幣収納カセット８０、８１に収納されている複数の紙幣のうち図４における最も左側に位置する紙幣を当該紙幣収納カセット８０、８１から繰り出す紙幣繰出機構８２が設けられている。ここで、下部筐体７２の内部に収容される各紙幣収納カセット８０、８１に対応して複数（具体的には、例えば４つ）の紙幣繰出機構８２が設けられている。変形例に係る紙幣処理装置７０における各紙幣繰出機構８２は、図１乃至図３に示す紙幣処理装置１０における各紙幣繰出機構２２と略同一の構成となっている。また、下部筐体７２の内部における奥側には、各紙幣繰出機構８２により各紙幣収納カセット８０、８１から繰り出された紙幣を搬送する搬送部８４が設けられている。搬送部８４は下部筐体７２および上部筐体７４にまたがるよう設けられており、各紙幣繰出機構８２により各紙幣収納カセット８０、８１から繰り出された紙幣は搬送部８４により下部筐体７２から上部筐体７４に送られ、当該上部筐体７４の内部で引き続き搬送されるようになっている。
【００５２】
上部筐体７４は略直方体形状のものとなっており、この上部筐体７４の前面上部には、出金されるべき紙幣が外部に投出される投出部７６が設けられている。また、図４に示すように、上部筐体７４の内部において搬送部８４には上流側から順に紙幣厚み検知部９０および紙幣画像取得部９２がそれぞれ設けられている。ここで、紙幣厚み検知部９０は、搬送部８４により搬送される紙幣の厚みの大きさを検知するようになっている。このような紙幣厚み検知部９０により、搬送部８４により搬送される紙幣が斜行している場合や、搬送部８４により２枚の紙幣が重なって搬送されている場合に、紙幣の搬送異常を検知することができるようになっている。また、紙幣画像取得部９２は例えばラインセンサを有しており、搬送部８４により搬送される紙幣の画像を当該ラインセンサにより取得するようになっている。また、上部筐体７４の内部には記番号読取部９３が設けられており、紙幣画像取得部９２により取得された紙幣の画像は記番号読取部９３に送られるようになっている。そして、記番号読取部９３は、紙幣画像取得部９２により取得された紙幣の画像に基づいてＯＣＲ（光学文字認識）等により当該紙幣の記番号を読み取るようになっている。
【００５３】
また、上部筐体７４の内部には、搬送部８４の下流側端部から紙幣が受け渡される出金搬送部９４が設けられており、搬送部８４の下流側端部から出金搬送部９４に受け渡された紙幣が当該出金搬送部９４により投出部７６に送られるようになっている。出金搬送部９４から投出部７６に紙幣が送られると、操作者はこの投出部７６に送られた紙幣を上部筐体７４の前面側から手で取り出すことができるようになる。また、出金搬送部９４は、搬送部８４の下流側端部および投出部７６を結ぶ本線９４ａと、本線９４ａから分岐する支線９４ｂとを有しており、本線９４ａから支線９４ｂへの分岐箇所にはリジェクト分岐部９６が設けられている。そして、出金搬送部９４において本線９４ａに沿って搬送される紙幣がリジェクト分岐部９６により支線９４ｂに分岐させられると、当該紙幣は支線９４ｂの下流側端部（すなわち、図４における支線９４ｂの右下部分）から紙幣収納カセット８０のリジェクト部８０ｂに送られ、当該リジェクト部８０ｂに集積されるようになる。
【００５４】
次に、このような構成からなる変形例に係る紙幣処理装置７０の動作（具体的には、紙幣処理装置７０による紙幣の出金処理）について説明する。
【００５５】
紙幣処理装置７０が待機状態にあるときに、当該紙幣処理装置７０の制御部（図示せず）に紙幣の出金処理の指令が与えられると、出金されるべき紙幣の金種に対応する紙幣収納カセット８０、８１から紙幣繰出機構８２により紙幣が１枚ずつ搬送部８４に繰り出され、紙幣収納カセット８０、８１から繰り出された紙幣は搬送部８４により下部筐体７２から上部筐体７４に送られる。また、上部筐体７４の内部で搬送部８４により搬送される紙幣は、紙幣厚み検知部９０および紙幣画像取得部９２を順に通過する。このことにより、搬送部８４により搬送される紙幣の厚みの大きさが紙幣厚み検知部９０により検知され、また、搬送部８４により搬送される紙幣の画像が紙幣画像取得部９２により取得される。上述したように、紙幣厚み検知部９０により、搬送部８４により搬送される紙幣が斜行している場合や、搬送部８４により２枚の紙幣が重なって搬送されている場合に、紙幣の搬送異常を検知することができるようになっている。また、紙幣画像取得部９２により取得された紙幣の画像は記番号読取部９３に送られ、この紙幣の画像に基づいて記番号読取部９３により当該紙幣の記番号が読み取られる。
【００５６】
紙幣厚み検知部９０により紙幣の搬送異常が検知されたり、記番号読取部９３により紙幣の記番号を読み取ることができなかったりした場合には、このような紙幣は搬送部８４から出金搬送部９４に受け渡された後、当該紙幣はリジェクト紙幣としてリジェクト分岐部９６により出金搬送部９４における本線９４ａから支線９４ｂに分岐させられ、この分岐させられた紙幣は支線９４ｂから紙幣収納カセット８０のリジェクト部８０ｂに送られるようになる。一方、紙幣厚み検知部９０により搬送異常が検知されないとともに、記番号読取部９３により記番号が読み取られた紙幣は、リジェクト分岐部９６により出金搬送部９４の本線９４ａから分岐させられることなく当該本線９４ａにより投出部７６に送られるようになる。出金搬送部９４から投出部７６に紙幣が送られると、操作者はこの投出部７６に送られた紙幣を上部筐体７４の前面側から取り出すことができるようになる。このようにして、出金されるべき紙幣が全て投出部７６に送られると、変形例に係る紙幣処理装置７０における紙幣の出金処理が完了する。
【００５７】
また、図４および図５に示すような変形例に係る紙幣処理装置７０では、各紙幣収納カセット８０、８１の側面に４つの磁石（マグネット）９７が縦方向に沿って並ぶよう設けられている。ここで、各々の磁石９７においてＮ極が外側に突出しているかあるいはＳ極が外側に突出しているかは各紙幣収納カセット８０、８１の種類によって異なるようになっている。また、下部筐体７２を構成する一対の側板における各紙幣収納カセット８０、８１の各磁石９７に対向する面には、各々の磁石９７の極性を検知するためのセンサが設けられており、当該センサにより、各々の磁石９７においてＮ極が外側に突出しているかあるいはＳ極が外側に突出しているかが検知されるようになっている。そして、変形例に係る紙幣処理装置７０では、上記のセンサにより検知された、各々の磁石９７においてＮ極が外側に突出しているかあるいはＳ極が外側に突出しているかという情報に基づいて、下部筐体７２に収容されている紙幣収納カセット８０、８１の識別情報（識別番号）を取得することができるようになっている。すなわち、図４に示すような４つの紙幣収納カセット８０、８１には別々の識別番号が割り振られており、また、４つの磁石９７の各々における外側に突出している極性の種類の組み合わせも互いに異なるようになっている。
【００５８】
また、変形例に係る紙幣処理装置７０には記憶部（図示せず）が設けられており、紙幣収納カセット８０、８１の識別番号と、４つの磁石９７の各々における外側に突出している極性の種類の組み合わせとの関係が当該記憶部に記憶されるようになっている。このことにより、各々の磁石９７においてＮ極が外側に突出しているかあるいはＳ極が外側に突出しているかという情報がセンサにより検知されると、この検知された情報および記憶部に記憶されている情報に基づいて、紙幣収納カセット８０、８１の識別番号を検知することができるようになる。ここで、４つの磁石９７の各々における外側に突出している極性の種類の組み合わせとして１６種類（＝２×２×２×２）の組み合わせがあるため、紙幣収納カセット８０、８１に対して最大で１６種類の識別番号を割り振ることができるようになる。
【００５９】
とりわけ、下部筐体７２の内部における最も上側の紙幣収納カセットの収容スペースには、リジェクト部８０ｂを有する紙幣収納カセット８０を収容させなければ、出金搬送部９４においてリジェクト分岐部９６により本線９４ａから支線９４ｂに分岐させられたリジェクト紙幣を当該リジェクト部８０ｂに集積させることができない。これに対し、各々の磁石９７の極性を上記のセンサにより検知することによって、下部筐体７２の内部における最も上側の紙幣収納カセットの収容スペースに紙幣収納カセット８０が収容されているか否かを検知することができるようになる。このことにより、下部筐体７２の内部における最も上側の紙幣収納カセットの収容スペースに操作者が誤って紙幣収納カセット８１を収容してしまうことを抑制することができるようになる。
【００６０】
また、下部筐体７２の内部における紙幣収納カセットの各収容スペースに、対応する種類の紙幣収納カセット８０、８１が正しく収容されているか否かを検知するにあたり、各紙幣収納カセット８０、８１の側面にそれぞれ複数の磁石９７を設け、各磁石９７の極性をセンサにより検知する方法の代わりに、各紙幣収納カセット８０、８１の側面に複数（例えば、４つ）の穴を縦方向に並ぶよう設けておき、各穴に１つまたは２つのビスを差し込むようにしてもよい。このような方法の詳細について図６（ａ）〜（ｃ）を用いて説明する。
【００６１】
図６（ａ）〜（ｃ）に示すように、各紙幣収納カセット８０、８１の側面に設けられている４つの穴（図示せず）に１つまたは２つのビス９８が差し込まれるようになっている。また、下部筐体７２を構成する一対の側板における各紙幣収納カセット８０、８１の各ビス９８に対向する面には、各ビス９８に対応する形状のガイド部材９９ａ、９９ｂ、９９ｃが取り付けられている。ここで、各ガイド部材９９ａ、９９ｂ、９９ｃは、各紙幣収納カセット８０、８１の側面に設けられている各穴に差し込まれたビス９８を避けるような形状となっている。このことにより、各ガイド部材９９ａ、９９ｂ、９９ｃの形状に対応する位置でビス９８が穴に差し込まれた紙幣収納カセット８０、８１が下部筐体７２の内部に収容されるときには、各ガイド部材９９ａ、９９ｂ、９９ｃとビス９８とが衝突することなく紙幣収納カセット８０、８１を下部筐体７２の内部に確実に収容させることができるようになる。一方、各ガイド部材９９ａ、９９ｂ、９９ｃの形状に対応しない位置でビス９８が穴に差し込まれた紙幣収納カセット８０、８１が下部筐体７２の内部に収容されるときには、各ガイド部材９９ａ、９９ｂ、９９ｃとビス９８とが衝突してしまい、当該紙幣収納カセット８０、８１を下部筐体７２の奥まで収容させることができなくなる。
【００６２】
このように、紙幣収納カセット８０、８１においてビス９８が差し込まれる穴の位置と、ガイド部材９９ａ、９９ｂ、９９ｃの形状とを紐付けることにより、下部筐体７２の内部における紙幣収納カセットの各収容スペースに、対応する種類の紙幣収納カセット８０、８１が正しく収容されているか否かを検知することができるようになる。また、図６に示すような方法を用いた場合には、磁石９７の極性を検知するセンサや、ビス９８の有無を検知する光センサ等を設ける必要がなくなるため、下部筐体７２の内部における紙幣収納カセットの各収容スペースに紙幣収納カセット８０、８１が正しく収容されているか否かを検知する機構を安価かつメンテナンス不要なものとすることができるようになる。
【００６３】
また、本発明に係る紙葉類処理装置は、図１乃至図３に示す紙幣処理装置１０や図４乃至図６に示す紙幣処理装置７０のような紙幣の処理を行うものに限定されることはない。本発明に係る紙葉類処理装置として、紙幣以外の紙葉類（例えば、商品券、小切手、クーポン券等）の処理を行うものが用いられてもよい。
【符号の説明】
【００６４】
１０    紙幣処理装置
１２    下部筐体
１４    上部筐体
２０    紙幣収納カセット
２２    紙幣繰出機構
２４    搬送部
３０    紙幣厚み検知部
３２    紙幣画像取得部
３４    回転ドラム
３５    ガイド部材
３６    リジェクト分岐部
３８    羽根車
４０    一時保留部
４１    側面枠体
４２    天板
４３    上側部材
４３ａ  爪
４３ｂ  駆動軸
４４    下側部材
４４ａ  爪
４４ｂ  固定軸
４５    スプリング
４６    歯車
４７    歯車駆動モータ
４８    アーム
４８ａ  ローラ
４９    カム面
５０    レール
５０ａ  本線
５０ｂ、５０ｃ  支線
５２    分岐部材
５２ａ  出金用レール部分
５２ｂ  後方搬送用レール部分
５４    分岐部材
５４ａ  出金用レール部分
５４ｂ  リジェクト用レール部分
５６    投出部
６０    リジェクト部
６０ａ  第１リジェクト部分
６０ｂ  第２リジェクト部分
６８    記番号読取部
７０    紙幣処理装置
７２    下部筐体
７４    上部筐体
７６    投出部
８０    紙幣収納カセット
８０ａ  紙幣収納部
８０ｂ  リジェクト部
８１    紙幣収納カセット
８２    紙幣繰出機構
８４    搬送部
９０    紙幣厚み検知部
９２    紙幣画像取得部
９３    記番号読取部
９４    出金搬送部
９４ａ  本線
９４ｂ  支線
９６    リジェクト分岐部
９７    磁石
９８    ビス
９９ａ、９９ｂ、９９ｃ  ガイド部材
【図１】
2018036935.tif 000003
【図２】
2018036935.tif 000004
【図３】
2018036935.tif 000005
【図４】
2018036935.tif 000006
【図５】
2018036935.tif 000007
【図６】
2018036935.tif 000008